(57)【要約】      （修正有）【課題】掃除が済んだ掃除用の粘着ロールが、剥ぎ取る時には丸い筒の心棒に平行にミシン目の入ったものは、縦に破れたりしてミシン目の通りに剥がれなかった。斜めのものもあるが剥ぎ取り口の始末が出来ておらず、掃除面に付着してロスも多く出ていた、本発明は、これらを解決する掃除用の粘着ロールを提供する。【解決手段】筒の心棒４に積層した粘着ロール５のカットは、積層した後で電動カット器＜リューター＞でカットをすることで一回の使用は一周ごとになり粘着ロールのロスをなくした。切り込みの出発点は筒の心棒に平行な直線とロール幅の接点９から螺旋状に角度をつけて、同じ直線の一周の接点で終わる。表層面に垂直に刃を入れ最初と最後に手で摘まめる剥ぎ取り口１を作り、次に掃除面に剥がれ防止、ロールの剥離防止、前後の回転が出来る数センチのミシン目２を設け、その中間は螺旋状カット３を入れて切り離す。【選択図】図１
2013031621.tif 000002
【特許請求の範囲】
【請求項１】
粘着ロールの筒の心棒に積層された掃除用の粘着ロールに、電動カット機＜リューター＞が表層面に垂直に筒の心棒を残して螺旋状カット入れるが、この螺旋状の初めと終わりの位置決めは、この螺旋状は筒の心棒に平行した直線とロール幅の接点を出発点として、一周して同じ直線とロール幅の接点を終着点の位置とする、これは右巻きでも左巻きでもよい、この粘着ロールは一周で一回の独立した菱形の使用となり、本体のホルダーに差し込む方向もどちらからでも掃除面に付着しない、掃除用の粘着ロール。
【請求項２】
粘着ロールの螺旋状の初めと終わりに切り込みを入れて剥ぎ取り口をつくり、折り曲げて手で摘まめるようにする、ついでミシン目を電動カット機＜リューター＞で上げ下げして設けるが、これは市販のミシン目を利用してもよい、このミシン目で掃除面にも付着せず、ロールの剥離も止める役目を果たす、更に回転方向も前後に自由にでき、このミシン目とミシン目の間は螺旋状にカットして切り離す、また、剥ぎ取り口により、ミシン目を破って容易に剥ぎ取ることもできる、請求項１の掃除用の粘着ロール。
【発明の詳細な説明】
【技術分野】
【０００１】  このカット方法は粘着ロールを前後に回転出来て、粘着ロールの使用後は簡単に剥がすことができて、どのような掃除面にも付着しない、掃除用の粘着ロールのカット方法に関するものである。
【背景技術】
【０００２】  一般に販売されている粘着ロールのミシン目は筒の心棒に平行に入っているため、使用後に粘着ロールに入ったミシン目通りに剥ぎにくく縦に破れることで難儀をした。【０００３】  一般に販売されている粘着ロールのホルダーに差し込み方を間違えたり、回転する方向を間違えるとミシン目から剥がれて掃除面に粘着ロールが付着することで困った。【０００４】  一般に販売されている粘着ロールを初めから斜めにカットして、筒の心棒に積層したものは、粘着ロールのカットで出発と終着の両側の剥ぎ取り口が切りっぱなしになっていて、回転方向がどちらでも掃除面に付着してしまいどうしょうもなかった。【０００５】  一般に販売されている粘着ロールはフローリング用として使用するには、粘着力が強いとフローリングに付着するので、粘着力を弱くしてすぐに効果がなくなった。【０００６】  一般に販売されている粘着ロールはいろいろなカット方法はあるが、どれも掃除面に合わせて粘着力で調整して、使い分けがいるので数多くの粘着ロールの種類が必要であった。（実用新案文献１参照）（特許文献１参照）
【先行技術文献】
【０００７】
【特許文献１】  特開２００２−３７７６１０号公報
【実用新案文献１】
実願２００８−５７４５号公報
【発明の概要】
【発明が解決しようとする課題】
【０００８】  粘着ロールの使用後の剥ぎ取り口が分からなくなり、ゴミの着いたロールに剥ぎ取り口を探すのは難しく、いらいらしながら剥ぎ取るのに手の汚れることに覚悟がいった。この覚悟をしないとゴミの着いたままの途中で使用を諦めていた。【０００９】  また、筒の心棒に平行にミシン目の入っているものは、使用後に剥がす角度に問題があり、ミシン目通りに破れず横道に逸れて剥ぎ取るのに苦労をした。【００１０】  本体のホルダーに差し込む時に向きを間違えるか、使用の回転を間違えると切り口から掃除面に付着してムダも多くなり大変困った。【００１１】  更に、粘着ロールを初めから斜めにカットして、筒の心棒に積層したものは、剥ぎ取り口が切ったままになっていて回転方向がどちらであっても、ここから掃除面に付着してしまうことが多々あった。【００１２】  前項の状態や斜めにカットされたものでは、筒の心棒に近い粘着ロールと表層面に近い粘着ロールでは直径が違い円周率により一枚ずつの長さが異なり、表層面と筒の心棒までの間に長さを変えていく面倒な手間がいった。【００１３】  本来は小さく巻き取ったものを一定の寸法で一枚ずつ剥ぎ取って行くには、その巻いたラインに近づけるようにしなければ剥ぎ取るのに無理が生じる。これに反してホルダーに平行に切り口を入れては巻き取った方向に逸れてしまう。
本発明は、以上の問題点を解決するためになされたものである。
【課題を解決するための手段】
【００１４】  粘着ロールは筒の心棒に積層してから斜め螺旋状に一周のカットを入れるが、その出発点と終着点は、例えば右の粘着ロールの筒の心棒に平行した直線とロール幅との接点の位置から螺旋状に角度をつけて出発して、左のその直線とロールとの接点の位置まで螺旋状に一周して終わる。これは左巻きでも、右巻きでもよい。【００１５】  粘着ロールは螺旋状に剥ぎ取り口として出発点と終着点に切り込みをいれる。電動カット機＜リューター＞で丸い粘着ロールの表層面に垂直にカットを入れる。この長さは折り曲げて手で摘まめる程度にする。こうして剥ぎ取り口で容易に剥がれる。なお、粘着ロールの裁断面からは数ミリの粘着の空白ラインを設けて付着しないようにする。【００１６】  これの次に螺旋状にミシン目を剥ぎ取り口に続いて数センチにして前後に入れるが、電動カット機＜リューター＞を上げ下げしてミシン目として切るか、一般の販売されているミシン目のカット方法を取り入れてもよい。【００１７】  この次に前後の剥ぎ取り口とミシン目を残して、螺旋状に電動カット機＜リューター＞を入れて切り離す。この方法は粘着ロールを固定して電動カット機＜リューター＞を螺旋状に動かすか、または、電動カット機＜リューター＞を固定して粘着ロールを螺旋状に回転させてカットをする。更に、形盤をレールにして誘導させてもよい。この長さはミシン目の終わりからミシン目の始まりの間とする。【００１８】  この螺旋状の電動カット機＜リューター＞は表層面に垂直に入れて、深さは筒の心棒をまでとして筒の心棒は残す。【００１９】  螺旋状にするのは表層面と筒の心棒とは直径が異なり、円周により使用後の寸法は縮まって行くが、この方法であればこの問題も解決し、いずれも剥いだ後の粘着ロールは菱形になり、一枚一枚の独立した形で剥ぎ取られて、この一周の菱形で一枚により掃除ができる。【００２０】  粘着ロールの表層面に垂直に切り込んで、斜め螺旋状にカットを入れるのは、できるだけ巻き込んだ角度に近づけて剥ぎ取りやすくするのと、ゴミやカット部分に跨った毛などに対応して剥ぎ取りやすくしたものである。【００２１】  このミシン目を入れるのは、前向きにも後ろ向きに回転しても掃除面に付着するのをこのミシン目で止め、更にミシン目とミシン目の間のカットの剥離するのを防ぎ。このミシン目は数センチにして使用済みの粘着ロールを剥ぎ取るときには、前後の剥ぎ取り口よりミシン目を破って使用する。【００２２】  このようにホルダーに差し込む向きは、螺旋状で同じカットになるので左右どちらからでもよく、回転方向や差し込みの方向についての注意書きもいらない。【００２３】  この場合は電動カット機＜リューター＞のビットの幅だけのカットの隙間となるが、できるだけビットを細くすることで、隙間が少なくなる。【００２４】  こうして粘着ロールを筒の心棒に積層した後で、電動カット機＜リューター＞でカットを入れるのは、従来の問題点を全て解消したものである。
以上の構成によりなる掃除用粘着ロール。
【発明の効果】
【００２５】  このもの使用することで、粘着の強さに関係なく、畳みの部屋でも、フローリングの部屋でも、ジュウタンの部屋でも、この一本で掃除ができ、前向きや後ろ向きの回転も自由に転がせて、使用後は斜めに螺旋状で剥ぎ取り口から数センチのミシン目を切り離すことで、簡単に剥ぎ取ることができ掃除面には付着することをなくした。
【図面の簡単な説明】
【００２６】
【図１】本発明の螺旋状カットの斜視図
【図２】本発明の使用後の剥ぎ取り状態図
【図３】本発明の剥ぎ取った粘着ロールの展開図
【図４】本発明のホルダーへの組み立て図
【発明を実施するための形態】
【００２７】  以下、本発明の実施の形態を説明する。
（イ）筒の心棒（４）に粘着ロール（５）を積層した後に、筒の心棒（４）を残して電動カット機＜リューター＞で表層面に垂直に螺旋状に剥ぎ取り口（１）をつくるために僅かに切り込んで、続いて数個のミシン目（２）を電動カット機＜リューター＞の上げ下げ操作でいれるか、または、市販されているミシン目の方法を取り入れる。このミシン目（２）が出来ると、この後は剥ぎ取り口（１）とミシン目（２）を残して螺旋状カット（３）を入れて切り離す、ミシン目（２）と剥ぎ取り口（１）を残して終わる。更に剥ぎ取り口（１）では次の剥ぎ取りのために折り曲げて置く。
（ロ）これには筒の心棒に平行した直線とロール幅の接点（９）から螺旋状の角度から始まり、一周して直線のロール幅の接点（９）までの螺旋状の角度で終わり、こうすることで１枚１枚独立した粘着ロール（５）になり、双方から剥ぎ取り口（１）を手で摘まめ折り曲げられる寸法に切り込んで、この後はミシン目（２）を数センチ入れて掃除面に付着するのを止め、前後に回転をさせて、粘着ロールの剥離を保護する役目をしてから、この剥ぎ取り口（１）とミシン目（２）を残して螺旋状カット（３）を入れ、こうして折り曲げた剥ぎ取り口（１）から、この双方のミシン目（２）を破って一枚を剥ぎ取れば、新しい粘着ロール（１０）が現われる。
（ハ）粘着ロールの本体のホルダーへの差し込み方（６）はどちらでも同形になり、どちらに転がせても、このミシン目（２）で掃除面に付着することはない。
（ニ）こうしたことからフローリングの床面でも、畳みの床面でも、ジュウタンの床面でも掃除面を選ばずに、どのような所でも粘着力に関係なく、この一本で掃除ができるようになる。
本発明は以上のような構造である。
本発明を使用するときは、粘着ロール（５）の本体のホルダーへの差し込み方（６）も、掃除面の状態によって転がす前後にも指定は無く、これ一本で多様な掃除ができる。斜めカットなので剥ぎ取るのも簡単で、剥ぎ取り口（１）も使用済みの粘着ロール（５）を剥ぎ取る時には、次に便利なように剥ぎ取り口（１）で折り曲げて置くとよい。
【符号の説明】
【００２８】  １、剥ぎ取り口
２、ミシン目
３、螺旋状カット
４、筒の心棒
５、粘着ロール
６、ホルダーへの差し込み方
７、使用済み粘着ロール
８、剥がした粘着ロールの形状
９、筒に平行した直線とロールの幅の接点
１０、新しい粘着ロール
【図１】
2013031621.tif 000003
【図２】
2013031621.tif 000004
【図３】
2013031621.tif 000005
【図４】
2013031621.tif 000006